(57)【要約】【課題】簡単な方法で、コーションマークを安価で且つ確実に設けた、コーションマーク付き樹脂製部品を提供する。【解決手段】リザーバキャップ４の上壁４ａに、黒色と黄色の２色で形成されるコーションマーク７を設ける。黒色の第１樹脂材８と黄色の第２樹脂材９とを使用し、第１樹脂材８を用いてリザーバキャップ４を成形する際に、コーションマーク７の形成位置に、第１樹脂材８によって表示されるコーションマーク７の位置に対応した複数の凸部８ａを形成する。凸部８ａ間に、第２樹脂材９を充填するための凹部８ｂを形成する。凹部８ｂに第２樹脂材９を充填してコーションマーク７を形成する。【選択図】  図１
2004261997.tif 000002
【特許請求の範囲】
【請求項１】
２色の組合せからなるコーションマークを外面に有するコーションマーク付き樹脂製部品の製造方法において、色の異なる第１樹脂材と第２樹脂材とを使用し、前記第１樹脂材を用いて部品本体を成形する際に、前記コーションマークの形成位置に、該第１樹脂材によって表示されるコーションマークの位置に対応した複数の凸部を形成するとともに、該凸部間に前記第２樹脂材を充填するための凹部を形成し、次いで、前記凹部に第２樹脂材を充填して前記コーションマークを形成することを特徴とするコーションマーク付き樹脂製部品の製造方法。
【請求項２】
前記凸部の内部に中空部が設けられ、前記第２樹脂材が前記中空部を変形させながら前記凹部に充填されることを特徴とする請求項１記載のコーションマーク付き樹脂製部品の製造方法。
【請求項３】
前記樹脂製部品が、マスタシリンダ用リザーバのリザーバキャップであることを特徴とする請求項１または２記載のコーションマーク付き樹脂製部品の製造方法。
【発明の詳細な説明】
【０００１】
【発明の属する技術分野】
本発明は、コーションマーク付き樹脂製部品の製造方法に係り、詳しくは色の異なる第１樹脂材と第２樹脂材とを使用して、２色の組合せからなるコーションマークを備えた樹脂製部品を製造する方法に関する。
【０００２】
【従来の技術】
従来、例えば車両用マスタシリンダのリザーバの近傍には、リザーバタンク内に、誤ったオイルが供給されることのないように注意を促すコーションマークを取り付けることが義務づけられている。このコーションマークは、視認性を良くするために、リザーバキャップの上壁に貼り付けられるものや、成形時にリザーバキャップの上壁にインサート成形されるものがあったが、リザーバキャップからコーションマークが剥離する虞があった。
【０００３】
このため、リザーバキャップを、２色の組合せからなるコーションマークの一方の色で形成するとともに、他方の色のマークを象る凸部を備えた基板をリザーバキャップとは別に成形し、リザーバキャップを成形する際に、前記基板を、凸部のみがリザーバキャップの上面に露出するように成形型内に配設し、凸部以外の部分をリザーバキャップ内に埋め込んで、コーションマークとリザーバキャップとを一体に成形するようにしたものがある（例えば、特許文献１参照）。
【０００４】
【特許文献１】
実用新案登録第２５９７１９６号公報（第１−３頁  図３）
【０００５】
【発明が解決しようとする課題】
しかし上述のものでは、マークを象る凸部を設けた基板をリザーバキャップとは別体に成形し、該基板をリザーバキャップ成形時にリザーブキャップ内に埋設させるため、基板を成形する工程や、基板をリザーバキャップに埋設する位置決め工程が必要となり、製造コストが嵩んでいた。
【０００６】
そこで本発明は、簡単な方法で、コーションマークを安価で且つ確実に設けた、コーションマーク付き樹脂製部品を提供することを目的としている。
【０００７】
【課題を解決するための手段】
上記の目的を達成するため本発明は、２色の組合せからなるコーションマークを外面に有するコーションマーク付き樹脂製部品の製造方法において、色の異なる第１樹脂材と第２樹脂材とを使用し、前記第１樹脂材を用いて部品本体を成形する際に、前記コーションマークの形成位置に、該第１樹脂材によって表示されるコーションマークの位置に対応した複数の凸部を形成するとともに、該凸部間に前記第２樹脂材を充填するための凹部を形成し、次いで、前記凹部に第２樹脂材を充填して前記コーションマークを形成することを特徴とし、また、前記凸部の内部に中空部が設けられ、前記第２樹脂材が前記中空部を変形させながら前記凹部に充填するものでもよい。さらに、本発明は、樹脂製部品の中でも、特にマスタシリンダ用リザーバのリザーバキャップを成形するのに適しており、第１樹脂材としては黒色の樹脂材が、また、第２樹脂材としては黄色の樹脂材が適用される。
【０００８】
【発明の実施の形態】
以下、本発明の各形態例を図面に基づいて詳しく説明する。本形態例では、樹脂製部品として、車両用マスタシリンダ用のリザーバを例示して説明している。
【０００９】
図１乃至図４は、本発明の第１形態例を示すもので、図４に示されるように、タンデム型のマスタシリンダ１の上部に取り付けられるリザーバ２は、作動液Ｆを貯留するリザーバ本体３と、該リザーバ本体３の上面開口部を覆うリザーバキャップ４と、該リザーバキャップ４の内側に嵌着されるキャップベース５と、該キャップベース５とリザーバ本体３との間に挟着されるダイヤフラム６とを備えている。リザーバ本体３，リザーバキャップ４，キャップベース５は合成樹脂によって形成されるもので、リザーバ本体３は、底部に形成された２つのボス部を、マスタシリンダ１に突設されたボス部１ａ，１ａ内に嵌合し、さらにこれらの間で重ね合わせされる双方のフランジ１ｂ，３ａにねじを螺着することによって、マスタシリンダ１に一体に取り付けられる。
【００１０】
リザーバキャップ４の上壁４ａには、リザーバ２の近傍に設けられることが義務づけられている法規で定められたコーションマーク７がリザーバキャップ４と略一体に設けられている。このコーションマーク７は、リザーバ本体３内に誤って鉱物油が供給されたり補充されることがないように注意を促す黒色と黄色のマークで、黒色の第１樹脂材８と黄色の第２樹脂材９とで象られている。コーションマーク７は、図２に示されるように、リザーバキャップ４の上方から目視すると、黒色の円形ベース部７ａの内側に、黄色の第１八角形部７ｂと黒色の第２八角形部７ｃとが順に形成され、第２八角形部７ｃの内側に形成される黄色の八角形ベース部７ｄの中心側に、黒色のリング部７ｅと、該リング部７ｅの外周側に対向して設けられる２つの円弧部７ｆ，７ｆとが形成され、リング部７ｅの内側には黄色の中心円形部７ｇが形成されている。
【００１１】
リザーバキャップ４は、第１樹脂材８で形成されるもので、リザーバキャップ４の上壁４ａには、前記円形ベース部７ａ，第２八角形部７ｃ，リング部７ｅ，円弧部７ｆ，７ｆに対応する位置に複数の凸部８ａが形成されるとともに、これら凸部８ａ間に、第１八角形部７ｂ，八角形ベース部７ｄ，中心円形部７ｇを象る複数の凹部８ｂが一体に形成される。これらリザーバキャップ４と複数の凸部８ａ及び凹部８ｂとは、成形型内に黒色の第１樹脂材を射出して一体に形成される。次いで他の成形型を用いて前記複数の凹部８ｂ内に黄色の第２樹脂材９が射出され、複数の凸部８ａの上面が前記円形ベース部７ａ，第２八角形部７ｃ，リング部７ｅ，円弧部７ｆ，７ｆとなるとともに、凹部８ｂに充填された第２樹脂材９の上面が前記第１八角形部７ｂ，八角形ベース部７ｄ，中心円形部７ｇとなり、リザーバキャップ４の上面に、上述の図２に示されるようなコーションマーク７が形成される。
【００１２】
このようにコーションマーク７がリザーバキャップ４と略一体に形成されることにより、コーションマーク７がリザーバキャップ４から剥がれ落ちる虞がない。また、従来のように、マークを象る凸部を備えた別体の基板を成形したり、基板をリザーバキャップに埋設する位置決め等を行う必要が無くなり、低コストでコーションマーク７を形成することができる。
【００１３】
図５乃至図７は、本発明の第２形態例を示すもので、第１形態例と同一箇所には同一の符号を付し、その詳細な説明は省略する。
【００１４】
本形態例では、第１樹脂材８の円形ベース部７ａ及びリング部７ｅに位置する各凸部８ａの内部に、リザーバキャップ上壁４ａの下面に連通する空隙部８ｃが、リザーバキャップ４の周方向に等間隔に形成され、該空隙部８ｃによって、前記円形ベース部７ａ及びリング部７ｅに位置する凸部８ａの内部が中空に形成される。
【００１５】
空隙部８ｃを備えた凸部８ａの周囲に形成された凹部８ｂに、第１形態例と同様に黄色の第２樹脂材９を射出すると、図７に示されるように、成形圧力によって空隙部８ｃを備えた凸部８ａは、基端側が空隙部８ｃ側に向けて潰れ、くさび状に変形する。これにより第２樹脂材９の抜け止めが図られ、第２樹脂材９と第１樹脂材８とがより確実に連結され、第２樹脂材９が不用意に第１樹脂材８から剥がれることがない。
【００１６】
なお、本発明は上述の各形態例のようにコーションマークをリザーバキャップに設ける場合に限るものではなく、リザーバ本体はもとより、その他どのような樹脂製部品にも本発明方法によってコーションマークを設けることができる。また、コーションマークは法規で定められているものに限らず、２色で形成できるものならば、どのようなマークでも差し支えない。
【００１７】
【発明の効果】
以上説明したように、本発明によれば、簡単な方法で、コーションマークを安価で且つ確実に設けた樹脂製部品を提供できるようになる。
【図面の簡単な説明】
【図１】本発明の第１形態例を示すリザーバの要部断面図
【図２】本発明の第１形態例を示すリザーバキャップの平面図
【図３】図２のＩＩＩ−ＩＩＩ断面図
【図４】本発明の第１形態例を示すマスタシリンダに取り付けられた状態を示すリザーバの要部断面図
【図５】本発明の第２形態例を示すリザーバキャップの要部平面図
【図６】図５のＶＩ−ＶＩ断面図
【図７】本発明の第２形態例を示すコーションマークの要部断面図
【符号の説明】
１…マスタシリンダ、２…リザーバ、３…リザーバ本体、４…リザーバキャップ、４ａ…上壁、７…コーションマーク、８…第１樹脂材、８ａ…凸部、８ｂ…凹部、８ｃ…空隙部、９…第２樹脂材
【図１】
2004261997.tif 000003
【図２】
2004261997.tif 000004
【図３】
2004261997.tif 000005
【図４】
2004261997.tif 000006
【図５】
2004261997.tif 000007
【図６】
2004261997.tif 000008
【図７】
2004261997.tif 000009